(57)【要約】      （修正有）【課題】切替ガイド板の異常判定において、切替ガイド板の回転軸の動作を抑えることが可能なシート搬送装置の提供。【解決手段】検知部５０７は、切替ガイド板５０４が、所定位置に存在することを検知し、制御部３０３は、異常検知モードと、位置調整モードと、を実行する。温度判定部３０２は、現在の環境温度が低温であるか否かを判定し、電源投入時に、低温と判定し、検知部５０７が切替ガイド板５０４を検知している場合、制御部３０３は、切替ガイド板５０４を一回転させることにより、異常検知モードを実行する。温度判定部３０２が低温と判定し、検知部５０７が切替ガイド板５０４を検知していない場合、制御部は、位置調整モードを実行すると共に、異常検知モードを実行する。温度判定部が、低温でないと判定し、検知部が切替ガイド５０４を検知している場合、制御部３０３は、前記位置調整モードを実行しない。【選択図】図３
2016086252.tif 000002
【特許請求の範囲】
【請求項１】
シートを搬送するシート搬送路と、
前記シート搬送路に回転可能に設けられ、前記シートの搬送方向を切替える切替ガイド板と、
前記切替ガイド板が、所定位置に存在することを検知する検知部と、
前記切替ガイド板を回転させる駆動部と、
前記切替ガイド板を回転させて切替異常を検知する異常検知モードと、
前記切替ガイド板を回転させて所定位置に移動させる位置調整モードと、を実行する制御部と、
現在の環境温度が予め設定された閾温度よりも低い低温であるか否かを判定する温度判定部と、を備え、
電源投入時に、前記温度判定部が前記低温と判定し、前記検知部が前記切替ガイド板を検知している場合、前記制御部は、前記切替ガイド板を一回転させることにより、前記異常検知モードを実行し、
前記温度判定部が前記低温と判定し、前記検知部が前記切替ガイド板を検知していない場合、前記制御部は、前記位置調整モードを実行すると共に、前記異常検知モードを実行し、
前記温度判定部が、前記低温でないと判定し、前記検知部が前記切替ガイド板を検知している場合、前記制御部は、前記位置調整モードを実行せず、
前記温度判定部が、前記低温でないと判定し、前記検知部が前記切替ガイド板を検知していない場合、前記制御部は、前記位置調整モードを実行することを特徴とするシート搬送装置。
【請求項２】
前記切替ガイド板は、両面読取ジョブにおいてシートの裏面を読み取る時に、当該シートを反転搬送路へ搬送するガイド板であり、
ジョブの実行が完了すると、当該実行が完了したジョブにおいて、当該ジョブに両面読取ジョブが含まれるかを判定するジョブ判定部を更に備え、
前記ジョブに両面読取ジョブが含まれる際に、前記温度判定部が前記低温と判定した場合、前記制御部は、前記切替ガイド板を前記所定位置の手前の位置に移動させ、前記温度判定部が前記低温でないと判定した場合、前記制御部は、前記位置調整モードを実行する
請求項１に記載のシート搬送装置。
【請求項３】
請求項１又は２に記載のシート搬送装置を備えた画像形成装置。
【請求項４】
原稿を搬送する原稿搬送路と、
前記原稿搬送路に回転可能に設けられ、前記原稿の搬送方向を切替える切替ガイド板と、
前記切替ガイド板が、所定位置に存在することを検知する検知部と、
前記切替ガイド板を回転させる駆動部と、
前記切替ガイド板を回転させて切替異常を検知する異常検知モードと、前記切替ガイド板を回転させて所定位置に移動させる位置調整モードと、を実行する制御部と、
現在の環境温度が予め設定された閾温度よりも低い低温であるか否かを判定する温度判定部と、を備え、
電源投入時に、前記温度判定部が前記低温と判定し、前記検知部が前記切替ガイド板を検知している場合、前記制御部は、前記切替ガイド板を一回転させることにより、前記異常検知モードを実行し、
前記温度判定部が前記低温と判定し、前記検知部が前記切替ガイド板を検知していない場合、前記制御部は、前記位置調整モードを実行すると共に、前記異常検知モードを実行し、
前記温度判定部が、前記低温でないと判定し、前記検知部が前記切替ガイド板を検知している場合、前記制御部は、前記位置調整モードを実行せず、
前記温度判定部が、前記低温でないと判定し、前記検知部が前記切替ガイド板を検知していない場合、前記制御部は、前記位置調整モードを実行することを特徴とする原稿搬送装置。
【発明の詳細な説明】
【技術分野】
【０００１】
本発明は、シート搬送装置、画像形成装置、原稿搬送装置に関する。
【背景技術】
【０００２】
従来、複合機、複写機、プリンタ等の画像形成装置に備えられた原稿搬送装置（例えば、自動原稿給送装置）は、原稿の表裏両面の画像を読み取るために、反転搬送路で原稿を複数回往復させて当該原稿を反転させている。このような反転搬送路では、反転分岐板（反転分岐ガイド）を用いて用紙の搬送路を適切に切り換えて、原稿を何往復させている。
【０００３】
このような原稿の反転分岐機構に関する異常を検知する方法は、多種存在する。例えば、特開平１０−１３３４３４号公報（特許文献１）には、原稿をプラテンに移送する前に表裏反転してプラテンに搬送する第１の搬送路と、一旦プラテンに搬送した後に表裏反転する第２の搬送路を有する原稿搬送装置が開示されている。この装置では、前記第１の搬送路と、前記第２の搬送路とを切り替える切替手段を有し、前記切替手段に異常が発生した場合は、前記第２の搬送路が有効となるように構成されている。これにより、前記切替手段が故障した場合であっても、前記第２の搬送路を利用することが出来るため、機械をダウンさせずにすむとしている。
【０００４】
又、特開平９−１２１７６号公報（特許文献２）には、シートを排紙トレイ上にフェイスアップ排紙するための分岐経路にシート検知センサーを設け、シートを排紙トレイ上にフェイスダウン排紙するための分岐経路にシート検知センサーを設ける画像形成装置が開示されている。この装置では、排紙トレイ上への排紙が指定されているのに分岐経路のセンサーがシートを検知した場合、及び排紙トレイ上への排紙が指定されているのに分岐経路のセンサーがシートを検知した場合には、シート搬送異常検知手段が経路切換え異常であると判断する。これにより、画像形成装置がコストアップしないとしている。
【先行技術文献】
【特許文献】
【０００５】
【特許文献１】特開平１０−１３３４３４号公報
【特許文献２】特開平９−１２１７６号公報
【発明の概要】
【発明が解決しようとする課題】
【０００６】
通常、原稿の反転分岐機構に関する異常を検知する場合、電源投入時に、切替ガイド板の駆動に関する回転軸を所定位置（ホームポジション）から当該所定位置まで一回転させる。ここで、当該回転軸が正常に一回転すれば、前記切替ガイド板が正常に動作すると判定している。
【０００７】
しかしながら、このような切替ガイド板の異常判定方法では、前記回転軸を一回転させる必要があるため、この回転に要する動作音や回転時間が無駄に生じるという問題がある。この問題に対して、特許文献１、２に記載の技術では、解決することが出来ない。
【０００８】
そこで、本発明は、前記問題を解決するためになされたものであり、切替ガイド板の異常判定において、切替ガイド板の回転軸の動作を抑えることが可能なシート搬送装置、画像形成装置、原稿搬送装置を提供することを目的とする。
【課題を解決するための手段】
【０００９】
本発明の一の局面に係るシート搬送装置は、シート搬送路と、切替ガイド板と、検知部と、駆動部と、制御部と、温度判定部と、を備える。シート搬送部は、シートを搬送する。切替ガイド板は、前記シート搬送路に回転可能に設けられ、前記シートの搬送方向を切替える。検知部は、前記切替ガイド板が、所定位置に存在することを検知する。駆動部は、前記切替ガイドを回転させる。制御部は、前記切替ガイドを回転させて切替異常を検知する異常検知モードと、前記切替ガイド板を回転させて所定位置に移動させる位置調整モードと、を実行する。温度判定部は、現在の環境温度が予め設定された閾温度よりも低い低温であるか否かを判定する。電源投入時に、前記温度判定部が前記低温と判定し、前記検知部が前記切替ガイド板を検知している場合、前記制御部は、前記切替ガイド板を一回転させることにより、前記異常検知モードを実行する。前記温度判定部が前記低温と判定し、前記検知部が前記切替ガイド板を検知していない場合、前記制御部は、前記位置調整モードを実行すると共に、前記異常検知モードを実行する。前記温度判定部が、前記低温でないと判定し、前記検知部が前記切替ガイド板を検知している場合、前記制御部は、前記位置調整モードを実行しない。前記温度判定部が、前記低温でないと判定し、前記検知部が前記切替ガイド板を検知していない場合、前記制御部は、前記位置調整モードを実行する。
【００１０】
前記切替ガイド板は、両面読取ジョブにおいてシートの裏面を読み取る時に、当該シートを反転搬送路へ搬送するガイド板であり、ジョブの実行が完了すると、当該実行が完了したジョブにおいて、当該ジョブに両面読取ジョブが含まれるか前記反転分岐板が使用されたか否かを判定する使用ジョブ判定部を更に備える。前記ジョブに両面読取ジョブが含まれる際に、前記温度判定部が前記低温と判定した場合、前記制御部は、前記切替ガイド板を前記所定位置の手前の位置に移動させ、前記温度判定部が前記低温でないと判定した場合、前記制御部は、前記位置調整モードを実行する。
【００１１】
本発明の一の局面に係る画像形成装置は、前記シート搬送装置を備える。
【００１２】
本発明の一の局面に係る原稿搬送装置は、原稿搬送路と、切替ガイド板と、検知部と、駆動部と、制御部と、温度判定部と、を備える。原稿搬送部は、原稿を搬送する。切替ガイド板は、前記原稿搬送路に回転可能に設けられ、前記原稿の搬送方向を切替える。検知部は、前記切替ガイド板が、所定位置に存在することを検知する。駆動部は、前記切替ガイド板を回転させる。制御部は、前記切替ガイド板を回転させて切替異常を検知する異常検知モードと、前記切替ガイド板を回転させて所定位置に移動させる位置調整モードと、を実行する。温度判定部は、現在の環境温度が予め設定された閾温度よりも低い低温であるか否かを判定する。電源投入時に、前記温度判定部が前記低温と判定し、前記検知部が前記切替ガイド板を検知している場合、前記制御部は、前記切替ガイド板を一回転させることにより、前記異常検知モードを実行する。前記温度判定部が前記低温と判定し、前記検知部が前記切替ガイド板を検知していない場合、前記制御部は、前記位置調整モードを実行すると共に、前記異常検知モードを実行する。前記温度判定部が、前記低温でないと判定し、前記検知部が前記切替ガイド板を検知している場合、前記制御部は、前記位置調整モードを実行しない。前記温度判定部が、前記低温でないと判定し、前記検知部が前記切替ガイド板を検知していない場合、前記制御部は、前記位置調整モードを実行する。
【発明の効果】
【００１３】
本発明のシート搬送装置、画像形成装置、原稿搬送装置によれば、切替ガイド板の異常判定において、切替ガイド板の回転軸の動作を抑えることが可能となる。
【図面の簡単な説明】
【００１４】
【図１】本発明の実施形態に係る複合機の概略模式図である。
【図２】本発明の実施形態に係る複合機の制御系ハードウェアの構成を示す図である。
【図３】本発明の実施形態に係る複合機の機能ブロック図である。
【図４】本発明の実施形態の実行手順を示すためのフローチャートである。
【図５】本発明に係る原稿搬送部の概略模式図（図５Ａ）と、環境温度が低温における切替ガイド板の回転軸の回転駆動の模式図（図５Ｂ）と、環境温度が常温又は高温における切替ガイド板の回転軸の回転駆動の模式図（図５Ｃ）とである。
【発明を実施するための形態】
【００１５】
以下に、添付図面を参照して、本発明の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００１６】
以下に、本発明の実施形態の一例として、原稿の反転分岐機能を有する原稿搬送部を備えた画像形成装置について説明する。尚、本発明の画像形成装置は、例えば、コピー、スキャナ、プリンタ等の機能を備えた複合機（ＭＦＰ：Ｍｕｌｔｉ  Ｆｕｎｃｔｉｏｎ  Ｐｅｒｉｐｈｅｒａｌ）が該当する。
【００１７】
複合機１００は、図１に示すように、ユーザーから原稿の載置を受ける原稿搬送部１０１と、ユーザーから両面画像読取ジョブを含む印刷ジョブの設定条件の入力を受け付ける操作部とを備える。ユーザーのスタートキーの押下により、複合機１００は、原稿搬送部１０１を駆動して、原稿を搬送して原稿の表面の画像及び裏面の画像を読み取り、画像形成部、用紙搬送部、定着部等を駆動して、当該印刷ジョブを実行する。
【００１８】
複合機１００の制御回路は、図２に示すように、ＣＰＵ（Ｃｅｎｔｒａｌ  Ｐｒｏｃｅｓｓｉｎｇ  Ｕｎｉｔ）２０１、ＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３、ＨＤＤ（Ｈａｒｄ  Ｄｉｓｋ  Ｄｒｉｖｅ）２０４、各駆動部に対応するドライバ２０５を内部バス２０６によって接続している。
【００１９】
複合機１００のＣＰＵは、例えば、ＲＡＭを作業領域として利用し、ＲＯＭ、ＨＤＤ等に記憶されているプログラムを実行し、当該実行結果に基づいてドライバのデータや指示、信号、命令等を授受し、図１に示した各駆動部の動作を制御する。又、駆動部以外の後述する各部（図３に示す）についても、ＣＰＵが、各プログラムを実行することで当該各部を実現する。ＲＯＭ、ＲＡＭ、ＨＤＤ等には、以下に説明する各部を実現するプログラムやデータが記憶されている。
【００２０】
次に、図３、図４を参照しながら、本発明の実施形態に係る構成及び実行手順について説明する。先ず、ユーザーが、複合機１００の電源を投入すると（図４：Ｓ１０１）、当該複合機１００の表示受付部３０１が、操作部のタッチパネル上に操作画面を表示して、印刷ジョブの受付を開始し、その旨を温度判定部３０２に通知する。当該通知を受けた温度判定部３０２は、現在の環境温度が予め設定された閾温度（例えば、５度等）よりも低い低温であるか否かを判定する（図４：Ｓ１０２）。
【００２１】
ここで、温度判定部３０２が判定する方法は、特に限定は無い。例えば、図５Ａに示すように、原稿搬送部１０１（複合機１００）には、環境温度を検知可能な温度センサー５００が予め設けられている。温度判定部３０２は当該温度センサー５００から現在の環境温度を取得し、当該取得した環境温度が前記閾温度よりも低いか否かを判定する。
【００２２】
前記判定の結果、現在の環境温度が低温である場合（図４：Ｓ１０２ＹＥＳ）、温度判定部３０２は、その旨を制御部３０３に通知し、当該通知を受けた制御部３０３は、切替ガイド板が所定位置（ホームポジション：ＨＰ）に存在するか否かを判定する（図４：Ｓ１０３）。
【００２３】
ここで、制御部３０３が判定する方法は、特に限定は無い。例えば、図５Ａに示すように、原稿搬送部１０１には、原稿が搬送される原稿搬送路５０１に、当該原稿の搬送方向を、反転用の搬送路５０２へ向かう一方向か、排紙トレイの搬送路５０３へ向かう他方向かに切り換える切替ガイド板５０４が設けられている。この切替ガイド板５０４は、所定の回転軸５０５を一回転させることで、一方向から他方向へ切り換えた後に、一方向へ戻るように構成されている。又、切替ガイド板５０４は、両面読取ジョブにおいて原稿の裏面を読み取る時に、当該原稿を反転用の搬送路５０２へ搬送するガイド板である。又、回転軸５０５には、図５Ｂに示すように、一箇所だけ被検知部５０６が設けられ、予め設定された所定位置（ホームポジション：ＨＰ）には、前記被検知部５０６を検知する検知部５０７（位置センサー）が予め設けられている。制御部３０３は、前記検知部５０７を起動し、当該検知部５０７から、前記被検知部５０６を検知する旨のＯＮ信号、又は前記被検知部５０６を検知しない旨のＯＦＦ信号を受信することで、切替ガイド板５０４が所定位置に存在するか否かを判定する。
【００２４】
前記判定の結果、前記切替ガイド板５０４が所定位置に存在する場合（図４：Ｓ１０３ＹＥＳ）、制御部３０３は、前記切替ガイド板５０４を一回転させることにより、前記異常検知モードを実行し（図４：Ｓ１０４）、前記切替ガイド板５０４が正常に動作するか否かを判定する（図４：Ｓ１０５）。
【００２５】
具体的には、制御部３０３が、駆動部３０４を介して、所定のモーター（例えば、２相励磁のステッピングモーター）を回転させることで、前記切替ガイド板５０４の回転軸５０５を回転させる。そして、制御部３０３は、前記検知部５０７を監視し、当該検知部５０７がＯＮ信号を発信してからＯＦＦ信号を発信し、次にＯＮ信号を発信するまで、前記回転軸５０５を回転させる。そして、前記回転軸５０５が円滑に回転して、所定位置（ＨＰ）から一回転して当該位置（ＨＰ）へ適切に戻ってきた場合には、制御部３０３は、前記切替ガイド板５０４が正常に動作すると判定する。又、何らかの理由により、前記回転軸５０５がガタついて回転し、所定位置（ＨＰ）から当該位置（ＨＰ）へ戻り難い場合には、制御部３０３は、前記切替ガイド板５０４が正常に動作しないと判定する。特に、環境温度が低温である場合は、前記回転軸５０５が動作し難く、前記切替ガイド板５０４が動作し難いため、この場合に、前記切替ガイド板５０４の正常動作を判定することで、反転分岐の異常を確実に検知することが可能となる。
【００２６】
前記判定の結果、前記切替ガイド板５０４が正常に動作する場合（図４：Ｓ１０５ＹＥＳ）、制御部３０３は、その旨を表示受付部３０１に通知し、当該通知を受けた表示受付部３０１は、ユーザーから操作画面を介して、所定の印刷ジョブを受け付けることになる。
【００２７】
一方、Ｓ１０５において、前記判定の結果、前記切替ガイド板５０４が正常に動作しない場合（図４：Ｓ１０５ＮＯ）、制御部３０３は、その旨を表示受付部３０１に通知し、当該通知を受けた表示受付部３０１は、タッチパネル上に、前記切替ガイド板５０４に故障が生じている旨のエラー画面を表示して、ユーザーにサービスマンに連絡するよう促す（図４：Ｓ１０６）。
【００２８】
ところで、Ｓ１０４において、前記判定の結果、前記切替ガイド板５０４が所定位置に存在しない場合（図４：Ｓ１０４ＮＯ）、制御部３０３は、前記位置調整モードを実行すると共に（図４：Ｓ１０７）、前記異常検知モードを実行し（図４：Ｓ１０５）。具体的には、制御部３０３が、前記切替ガイド板５０４を前記所定位置まで回転させた後に、更に、前記切替ガイド板５０４を回転させて切替異常を検知する。
【００２９】
ところで、Ｓ１０において、前記判定の結果、現在の環境温度が前記低温でない場合（図４：Ｓ１０ＮＯ）、温度判定部３０２は、その旨を制御部３０３に通知し、当該通知を受けた制御部３０３は、前記切替ガイド板５０４が前記所定位置に存在するか否かを判定する（図４：Ｓ１０８）。
【００３０】
前記判定の結果、前記切替ガイド板５０４が所定位置に存在する場合（図４：Ｓ１０８ＹＥＳ）、制御部３０３は、前記位置調整モードを実行しない。この場合は、制御部３０３は、図５Ｃに示すように、前記回転軸５０５を一回転させること無く、当該回転軸５０５を停止させたままとする。これにより、環境温度が常温又は高温の場合で、且つ、前記切替ガイド板５０４が所定位置（ＨＰ）にある場合は、当該回転軸５０５を回転させることが無いため、回転軸５０５の回転に要する動作音や回転時間が無駄に生じることが無い。そして、制御部３０３は、Ｓ１０５へ移行し、前記異常検知モードを実行する（図４：Ｓ１０５）。
【００３１】
一方、前記切替ガイド板５０４が所定位置に存在する場合（図４：Ｓ１０８ＹＥＳ）、制御部３０３は、図５Ｃに示すように、前記回転軸５０５を回転させて、前記切替ガイド板５０４を所定位置に移動させることで、前記位置調整モードを実行する（図４：Ｓ１０９）。そして、制御部３０３は、Ｓ１０５へ移行し、前記異常検知モードを実行する（図４：Ｓ１０５）。
【００３２】
さて、Ｓ１０５ＹＥＳにおいて、ユーザーが、前記操作画面を見ながら、原稿搬送部１０１の原稿トレイに原稿を載せて、所望の設定条件を入力し、スタートキーを押下すると、表示受付部３０１が前記設定条件のジョブ（例えば、画像読取ジョブ、印刷ジョブ等）を受け付けて、その旨をジョブ実行部３０５に通知する。当該通知を受けたジョブ実行部３０５は、当該ジョブを実行する（図４：Ｓ１１０）。
【００３３】
ここで、ジョブ実行部３０５が前記ジョブの実行を完了すると、その旨をジョブ判定部３０６に通知し、当該通知を受けたジョブ判定部３０６は、前記実行が完了したジョブにおいて、当該ジョブに両面読取ジョブが含まれるかを判定する（図４：Ｓ１１１）。
【００３４】
ジョブ判定部３０６が判定する方法は、特に限定は無い。例えば、ジョブ判定部３０６が、前記実行が完了したジョブのうち、前記切替ガイド板５０４を用いて、原稿の表裏両面の画像を読み取る両面読み取りジョブが存在するか否かを判定する。前記両面読み取りジョブが存在すれば、前記ジョブに両面読取ジョブが含まれると判定される。
【００３５】
前記判定の結果、前記ジョブに両面読取ジョブが含まれる場合（図４：Ｓ１１１ＹＥＳ）、ジョブ判定部３０６が、その旨を温度判定部３０２に通知し、当該通知を受けた温度判定部３０２は、現在の環境温度が前記低温であるかを判定する（図４：Ｓ１１２）。温度判定部３０２の判定方法は、上述と同様である。
【００３６】
前記判定の結果、現在の環境温度が前記低温である場合（図４：Ｓ１１２ＹＥＳ）、温度判定部３０２は、その旨を制御部３０３に通知し、当該通知を受けた制御部３０３は、前記切替ガイド板５０４を前記所定位置（ＨＰ）の手前の位置に移動させる（図４：Ｓ１１３）。例えば、制御部３０３が、前記回転軸５０５を一回転させるために要する回転時間よりも短い時間だけ、当該回転軸５０５を回転させたり、回転に要するパルスの強度を調整したりする。これにより、前記切替ガイド板５０４を前記所定位置（ＨＰ）の手前の位置に移動させる。環境温度が低温である場合、次に電源投入されると、上述と同様に、反転分岐の異常判定を実施する可能性が高い。そのため、前記切替ガイド板５０４の位置を前記所定位置（ＨＰ）の手前の位置に調整することで、前記反転分岐の異常判定を実施する場合に、回転軸５０５の動作を抑えることが可能となる。そして、Ｓ１１５へ移行する。
【００３７】
一方、Ｓ１１０において、現在の環境温度が前記低温でない場合（図４：Ｓ１１０ＮＯ）、温度判定部３０２は、その旨を制御部３０３に通知し、当該通知を受けた制御部３０３は、前記切替ガイド板５０４の位置を前記所定位置（ＨＰ）に調整する（図４：Ｓ１１４）。ここで、制御部３０３が、前記切替ガイド板５０４の位置を前記所定位置（ＨＰ）に調整する方法は、上述と同様である。これにより、環境温度が常温又は高温である場合、次に電源投入されると、上述と同様に、前記切替ガイド板５０４を殆ど動かさないことになる。そのため、前記ジョブ完了時に、前記切替ガイド板５０４の位置を前記所定位置（ＨＰ）に予め調整しておくことで、更に、当該切替ガイド板５０４の動作を抑えることが可能となる。そして、Ｓ１１５へ移行する。
【００３８】
又、Ｓ１１１において、前記ジョブに両面読取ジョブが含まれない場合（図４：Ｓ１１１ＮＯ）、ジョブ判定部３０６は、特に何もせず、処理を終了する。そして、Ｓ１１５へ移行する。
【００３９】
Ｓ１１５において、ユーザーにより電源がＯＦＦされない場合（図４：Ｓ１１５ＮＯ）、Ｓ１１０へ移行し、表示受付部３０１が、ユーザーから操作画面を介して、所定の印刷ジョブを受け付ける。一方、ユーザーにより電源がＯＦＦされた場合（図４：Ｓ１１５ＹＥＳ）、処理が終了する。
【００４０】
尚、本発明の実施形態では、原稿搬送部１０１を有する複合機１００を想定したが、原稿搬送装置に適用しても構わない。又、本発明の実施形態では、原稿搬送部１０１に適用したが、シートを搬送するシート搬送装置に適用しても構わない。又、本発明の実施形態では、複合機１００が各部を備えるよう構成したが、当該各部を実現するプログラムを記憶媒体に記憶させ、当該記憶媒体を提供するよう構成しても構わない。当該構成では、前記プログラムを画像読取装置に読み出させ、当該画像読取装置が前記各部を実現する。その場合、前記記録媒体から読み出されたプログラム自体が本発明の作用効果を奏する。さらに、各部が実行するステップをハードディスクに記憶させる方法として提供することも可能である。
【産業上の利用可能性】
【００４１】
以上のように、本発明に係るシート搬送装置、画像形成装置、原稿搬送装置は、複合機はもちろん、複写機、プリンタ、スキャナ等の原稿搬送装置に有用であり、切替ガイド板の異常判定において、切替ガイド板の回転軸の動作を抑えることが可能なシート搬送装置、画像形成装置、原稿搬送装置として有効である。
【符号の説明】
【００４２】
１００  複合機
３０１  表示受付部
３０２  温度判定部
３０３  制御部
３０４  駆動部
３０５  ジョブ実行部
３０６  ジョブ判定部
【図１】
2016086252.tif 000003
【図２】
2016086252.tif 000004
【図３】
2016086252.tif 000005
【図４】
2016086252.tif 000006
【図５】
2016086252.tif 000007